(57)【要約】【課題】信頼性の高い有機電界発光素子、照明装置及び照明システムを提供する。【解決手段】実施形態によれば、第１電極と、絶縁層と、有機発光層と、第２電極と、を備えた有機電界発光素子が提供される。第１電極は、光透過性である。絶縁層は、第１電極の上に設けられ、第１電極の一部を露呈させる第１開口部を有し、光透過性である。有機発光層は、第１電極の一部の上に設けられた第１部分と、絶縁層の上に設けられた第２部分と、を有し、光透過性である。第２電極は、有機発光層の上に設けられ、光反射性である。第２電極は、第１部分の少なくとも一部の上に配置された導電部と、それぞれが有機発光層の一部を露呈させる複数の第２開口部と、を有する。【選択図】図１
2014154211.tif 000002
【特許請求の範囲】
【請求項１】
光透過性の第１電極と、
前記第１電極の上に設けられ、前記第１電極の一部を露呈させる第１開口部を有する光透過性の絶縁層と、
前記第１電極の前記一部の上に設けられた第１部分と、前記絶縁層の上に設けられた第２部分と、を有する光透過性の有機発光層と、
前記有機発光層の上に設けられた光反射性の第２電極であって、前記第１部分の少なくとも一部の上に配置された導電部と、それぞれが前記有機発光層の一部を露呈させる複数の第２開口部と、を有する第２電極と、
を備えた有機電界発光素子。
【請求項２】
前記絶縁層は、複数の前記第１開口部を有し、
前記複数の第１開口部のそれぞれは、前記第１電極の上面に対して平行な第１方向に延び、前記上面に対して平行で前記第１方向に対して交差する第２方向に並ぶ請求項１記載の有機電界発光素子。
【請求項３】
前記絶縁層は、複数の前記第１開口部を有し、
前記複数の第１開口部のそれぞれは、前記上面に対して平行な第１方向に並ぶとともに、前記上面に対して平行で前記第１方向に対して交差する第２方向に並ぶ請求項１記載の有機電界発光素子。
【請求項４】
前記絶縁層は、前記上面に対して平行な第１方向に並ぶとともに、前記上面に対して平行で前記第１方向に対して交差する第２方向に並ぶ複数の絶縁部を有する請求項１記載の有機電界発光素子。
【請求項５】
前記第２電極は、複数の前記導電部を有し、
前記複数の導電部のそれぞれは、前記第１方向に延び、前記第２方向に並び、前記上面に対して平行な平面に投影したときに、前記複数の第１開口部のそれぞれと重なる位置に配置される請求項２記載の有機電界発光素子。
【請求項６】
前記第２電極は、複数の前記導電部を有し、
前記複数の導電部のそれぞれは、前記第１方向に延び、前記第２方向に並び、
前記上面に対して平行な平面に投影したときに、前記複数の導電部のそれぞれが、前記複数の第１開口部のいずれかと重なり、少なくとも１つの前記第１開口部が、前記複数の導電部のそれぞれの間に配置される請求項２記載の有機電界発光素子。
【請求項７】
前記第２電極は、複数の前記導電部を有し、
前記複数の導電部のそれぞれは、前記第２方向に延び、前記第１方向に並び、前記上面に対して平行な平面に投影したときに、前記複数の第１開口部のそれぞれと交差する請求項２記載の有機電界発光素子。
【請求項８】
前記複数の第２開口部は、前記第１方向に並ぶとともに、前記第２方向に並ぶ請求項２〜４のいずれか１つに記載の有機電界発光素子。
【請求項９】
光透過性の第１電極と、
前記第１電極の上に設けられ、前記第１電極の一部を露呈させる開口部を有する光透過性の絶縁層と、
前記第１電極の前記一部の上に設けられた第１部分と、前記絶縁層の上に設けられた第２部分と、を有する光透過性の有機発光層と、
前記有機発光層の上に設けられた光透過性の第２電極と、
前記第１電極と前記絶縁層との間に設けられ、前記第１電極の一部を露呈させる開口部を有する光反射性の第１配線層と、
を備えた有機電界発光素子。
【請求項１０】
前記第２電極の上に設けられ、前記第２電極の一部を露呈させる開口部を有する光反射性の第２配線層を、さらに備えた請求項９記載の有機電界発光素子。
【請求項１１】
請求項１〜１０のいずれか１つに記載の有機電界発光素子と、
前記第１電極と前記第２電極とに電気的に接続され、前記第１電極及び前記第２電極を介して前記有機発光層に電流を供給する電源部と、
を備えた照明装置。
【請求項１２】
請求項１〜１０のいずれか１つに記載の複数の有機電界発光素子と、
前記複数の有機電界発光素子のそれぞれと電気的に接続され、前記複数の有機電界発光素子のそれぞれの点灯・消灯を制御する制御部と、
を備えた照明システム。
【発明の詳細な説明】
【技術分野】
【０００１】
本発明の実施形態は、有機電界発光素子、照明装置及び照明システムに関する。
【背景技術】
【０００２】
光透過性の第１電極と、第２電極と、第１電極と第２電極との間に設けられた有機発光層と、を含む有機電界発光素子がある。有機電界発光素子を光源として用いた照明装置がある。複数の有機電界発光素子と、これら複数の有機電界発光素子の点灯及び消灯を制御する制御部と、を含む照明システムがある。有機電界発光素子では、複数の開口が設けられた細線状の第２電極や、光透過性の第２電極を用いることにより、光透過性を持たせることが行われている。こうした有機電界発光素子において、信頼性の向上が望まれる。
【先行技術文献】
【特許文献】
【０００３】
【特許文献１】特開２０１１−２４９５４１号公報
【発明の概要】
【発明が解決しようとする課題】
【０００４】
本発明の実施形態は、信頼性の高い有機電界発光素子、照明装置及び照明システムを提供する。
【課題を解決するための手段】
【０００５】
本発明の実施形態によれば、第１電極と、絶縁層と、有機発光層と、第２電極と、を備えた有機電界発光素子が提供される。前記第１電極は、光透過性である。前記絶縁層は、前記第１電極の上に設けられ、前記第１電極の一部を露呈させる第１開口部を有し、光透過性である。前記有機発光層は、前記第１電極の前記一部の上に設けられた第１部分と、前記絶縁層の上に設けられた第２部分と、を有し、光透過性である。前記第２電極は、前記有機発光層の上に設けられ、光反射性である。前記第２電極は、前記第１部分の少なくとも一部の上に配置された導電部と、それぞれが前記有機発光層の一部を露呈させる複数の第２開口部と、を有する。
【図面の簡単な説明】
【０００６】
【図１】第１の実施形態に係る有機電界発光素子を表す模式的断面図である。
【図２】第１の実施形態に係る有機電界発光素子を表す模式的平面図である。
【図３】第１の実施形態に係る有機電界発光素子の一部を表す模式的断面図である。
【図４】図４（ａ）〜図４（ｃ）は、第１の実施形態に係る別の有機電界発光素子を表す模式図である。
【図５】図５（ａ）〜図５（ｃ）は、第１の実施形態に係る別の有機電界発光素子を表す模式図である。
【図６】第１の実施形態に係る別の有機電界発光素子を表す模式的平面図である。
【図７】第１の実施形態に係る別の有機電界発光素子を表す模式的断面図である。
【図８】図８（ａ）〜図８（ｃ）は、第１の実施形態に係る別の有機電界発光素子を表す模式図である。
【図９】図９（ａ）〜図９（ｃ）は、第１の実施形態に係る別の有機電界発光素子を表す模式図である。
【図１０】第１の実施形態に係る別の有機電界発光素子を表す模式的平面図である。
【図１１】図１１（ａ）〜図１１（ｃ）は、第１の実施形態に係る別の有機電界発光素子を表す模式図である。
【図１２】図１２（ａ）及び図１２（ｂ）は、第１の実施形態に係る別の有機電界発光素子を表す模式的平面図である。
【図１３】図１３（ａ）及び図１３（ｂ）は、第１の実施形態に係る別の有機電界発光素子を表す模式図である。
【図１４】図１４（ａ）及び図１４（ｂ）は、第１の実施形態に係る別の有機電界発光素子を表す模式図である。
【図１５】第１の実施形態に係る別の有機電界発光素子を表す模式的断面図である。
【図１６】第２の実施形態に係る照明装置を表す模式図である。
【図１７】図１７（ａ）及び図１７（ｂ）は、第３の実施形態に係る照明システムを表す模式図である。
【発明を実施するための形態】
【０００７】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００８】
（第１の実施の形態）
図１は、第１の実施形態に係る有機電界発光素子を表す模式的断面図である。  
図２は、第１の実施形態に係る有機電界発光素子を表す模式的平面図である。  
図１は、図２のＡ１−Ａ２線断面図である。これらの図は、本実施形態に係る有機電界発光素子の一部を拡大して例示している。  
図１及び図２に表したように、有機電界発光素子１１０は、積層体ＳＢを含む。積層体ＳＢは、第１電極１０と、第２電極２０と、有機発光層３０と、絶縁層４０と、を含む。
【０００９】
第１電極１０は、上面１０ａを有する。第１電極１０は、光透過性を有する。第１電極１０は、例えば、透明電極である。
【００１０】
ここで、上面１０ａに対して垂直な方向をＺ軸方向とする。上面１０ａに対して平行な１つの方向をＸ軸方向とする。Ｘ軸方向及びＺ軸方向に対して垂直な方向をＹ軸方向とする。Ｘ軸方向及びＹ軸方向は、Ｚ軸方向に対して垂直な方向である。Ｚ軸方向は、第１電極１０の厚さ方向に相当する。
【００１１】
絶縁層４０は、第１電極１０の上面１０ａの上に設けられる。絶縁層４０は、開口部４０ａ（第１開口部）と、絶縁部４０ｂと、を有する。絶縁層４０は、例えば、複数の開口部４０ａと、複数の絶縁部４０ｂと、を有する。複数の開口部４０ａのそれぞれは、第１方向に延び、第１方向に対して交差する第２方向に並ぶ。この例では、複数の開口部４０ａのそれぞれが、Ｙ軸方向に延び、Ｘ軸方向に並ぶ。すなわち、この例では、複数の開口部４０ａのそれぞれが、溝状である。複数の開口部４０ａのそれぞれは、第１電極１０の一部を露呈させる。この例では、複数の開口部４０ａのそれぞれにより、第１電極１０の複数の部分が露呈される。以下では、第１電極１０のうちの開口部４０ａによって露呈された部分を、露呈部１０ｐと称す。複数の絶縁部４０ｂのそれぞれは、複数の開口部４０ａのそれぞれの間に配置される。この例では、複数の絶縁部４０ｂのそれぞれが、Ｙ軸方向に延びる。絶縁層４０は、光透過性である。絶縁層４０は、例えば、透明である。
【００１２】
有機発光層３０は、絶縁層４０の上に設けられる。有機発光層３０は、第１電極１０の露呈部１０ｐの上に設けられた第１部分３０ａと、絶縁層４０の上に設けられた第２部分３０ｂと、を有する。第２部分３０ｂは、絶縁層４０の上の少なくとも一部に設けられる。有機発光層３０は、光透過性を有する。有機発光層３０は、例えば、消灯状態において光透過性を有する。
【００１３】
有機発光層３０は、例えば、第１部分３０ａと第２部分３０ｂとの間の第３部分３０ｃを、さらに有する。第３部分３０ｃは、絶縁部４０ｂの側面に沿い、第１部分３０ａと第２部分３０ｂとをつなぐ部分である。この例において、有機発光層３０は、複数の露呈部１０ｐのそれぞれの上に設けられた複数の第１部分３０ａと、複数の絶縁部４０ｂのそれぞれの上に設けられた複数の第２部分３０ｂと、複数の第１部分３０ａと複数の第２部分３０ｂとのそれぞれの間の複数の第３部分３０ｃと、を有する。有機発光層３０は、例えば、複数の絶縁部４０ｂのそれぞれの上及び複数の露呈部１０ｐのそれぞれの上に、連続して設けられる。有機発光層３０は、例えば、複数の絶縁部４０ｂのそれぞれの少なくとも一部の上、及び、複数の露呈部１０ｐのそれぞれの上に設けられる。
【００１４】
有機発光層３０の厚さ（Ｚ軸方向に沿う長さ）は、絶縁層４０（絶縁部４０ｂ）の厚さよりも薄い。有機発光層３０の第１部分３０ａの上面３０ｕと第１電極１０の上面１０ａとの間のＺ軸方向の距離は、絶縁層４０の絶縁部４０ｂの上面４０ｕと第１電極１０の上面１０ａとの間のＺ軸方向の距離よりも短い。すなわち、第１部分３０ａの上面３０ｕは、絶縁部４０ｂの上面４０ｕよりも下に位置する。
【００１５】
第２電極２０は、有機発光層３０の上に設けられる。第２電極２０は、導電部２０ａと、複数の開口部２０ｂ（第２開口部）と、を有する。導電部２０ａは、第１部分３０ａの少なくとも一部の上に配置される。この例において、第２電極２０は、複数の導電部２０ａを有する。複数の導電部２０ａのそれぞれは、Ｙ軸方向に延び、Ｘ軸方向に並ぶ。複数の導電部２０ａのそれぞれは、上面１０ａに対して平行な平面（Ｘ−Ｙ平面）に投影したときに、複数の開口部４０ａのそれぞれと重なる位置に配置される。複数の導電部２０ａのそれぞれは、Ｘ−Ｙ平面に投影したときに、複数の第１部分３０ａのそれぞれと重なる位置に配置される。複数の導電部２０ａのそれぞれは、複数の第１部分３０ａのそれぞれの上に配置される。
【００１６】
複数の開口部２０ｂのそれぞれは、複数の導電部２０ａのそれぞれの間に配置される。この例において、複数の開口部２０ｂのそれぞれは、Ｙ軸方向に延びる溝状である。複数の開口部２０ｂのそれぞれは、Ｙ軸方向に延び、Ｘ軸方向に並ぶ。複数の開口部２０ｂのそれぞれは、例えば、複数の第２部分３０ｂのそれぞれの上に配置される。複数の開口部２０ｂのそれぞれは、例えば、複数の第２部分３０ｂのそれぞれを露呈させる。この例では、第２電極２０及び絶縁層４０が、ストライプ状である。
【００１７】
第２電極２０（導電部２０ａ）は、例えば、光反射性を有する。第２電極２０の光反射率は、第１電極１０の光反射率よりも高い。本願明細書においては、第１電極１０の光反射率よりも高い光反射率を有している状態を光反射性という。
【００１８】
有機発光層３０は、複数の開口部４０ａのそれぞれを介して第１電極１０と電気的に接続される。有機発光層３０の複数の第１部分３０ａのそれぞれは、例えば、第１電極１０の複数の露呈部１０ｐのそれぞれに接する。これにより、有機発光層３０が、第１電極１０と電気的に接続される。
【００１９】
有機発光層３０は、第２電極２０と電気的に接続される。有機発光層３０は、例えば、複数の導電部２０ａのそれぞれに接する。これにより、有機発光層３０が、第２電極２０と電気的に接続される。なお、本願明細書において、「電気的に接続」には、直接接触する場合のほか、間に他の導電部材などが介在する場合も含む。
【００２０】
第１電極１０と第２電極２０とを用いて有機発光層３０に電流を流す。これにより、有機発光層３０が発光する。有機発光層３０は、例えば、電流が流れた場合に、電子と正孔とを再結合させ、励起子を生成する。有機発光層３０は、例えば、励起子が放射失活する際の光の放出を利用して発光する。
【００２１】
有機電界発光素子１１０では、有機発光層３０のうちの露呈部１０ｐと導電部２０ａとの間の部分が、発光領域ＥＡとなる。この例において、有機発光層３０は、複数の露呈部１０ｐのそれぞれと複数の導電部２０ａのそれぞれとの間の複数の発光領域ＥＡを有する。発光領域ＥＡから発せられた発光ＥＬは、第１電極１０を介して、有機電界発光素子１１０の外部に出射する。発光ＥＬの一部は、第２電極２０で反射し、有機発光層３０及び第１電極１０を介して外部に出射する。すなわち、有機電界発光素子１１０は、片面発光型である。
【００２２】
また、有機電界発光素子１１０では、外部から入射する外光ＯＬが、複数の導電部２０ａのそれぞれの間の部分の絶縁部４０ｂ及び第１電極１０を透過する。このように、有機電界発光素子１１０は、発光ＥＬを出射させつつ、外部から有機電界発光素子１１０に入射する外光ＯＬを透過させる。このように、有機電界発光素子１１０は、光透過性を有する。これにより、有機電界発光素子１１０では、有機電界発光素子１１０を介して、背景の像を視認できる。すなわち、有機電界発光素子１１０は、シースルー可能な薄膜状または板状の光源である。
【００２３】
このように、実施形態の有機電界発光素子１１０によれば、光透過性の有機電界発光素子を提供できる。この有機電界発光素子１１０を照明装置に応用した場合、照明機能の他に、背景像を透過させる機能により、種々の新たな応用が可能になる。
【００２４】
光透過性の有機電界発光素子において、絶縁層４０を設けることなく、第１電極１０の上に有機発光層３０を設ける構成がある。このような構成では、例えば、第２電極２０の形成の際に、有機発光層３０の発光領域ＥＡとなる部分を傷付けてしまう場合がある。
【００２５】
第２電極２０の形成には、例えば、真空蒸着が用いられる。このとき、第２電極２０をパターニングするためのマスク（例えばメタルマスク）が有機発光層３０に接触し、有機発光層３０を傷付けてしまう場合がある。発光領域ＥＡが傷付いてしまうと、例えば、第１電極１０と第２電極２０とが直接接触し、短絡してしまう。たとえばストライプ状の第２電極２０を用いた場合、線状の欠陥となる。このため、例えば、有機発光素子の歩留まりが低下する。
【００２６】
また、光透過性の有機電界発光素子では、導電部２０ａの幅をより細くすることで、導電部２０ａ自体の視認性を抑え、背景像を良好に観察できるようになる。この場合、第２電極２０の形成において、より高い精度が要求される。しかしながら、第２電極２０の形成精度を高めると、マスクと有機発光層３０との接触のリスクが高まる。例えば、マスクと対象物との間の距離が遠いと、真空蒸着する材料が、マスクを透過した後に拡散してしまい、形成精度が低下する。真空蒸着などにおいて形成精度を高めるためには、マスクをより対象物に近づける必要がある。このため、第２電極２０の形成精度を高めると、マスクと有機発光層３０との接触のリスクが高まる。
【００２７】
これに対して、本実施形態に係る有機電界発光素子１１０では、絶縁層４０を含み、絶縁層４０の上の少なくとも一部に有機発光層３０が設けられる。そして、第１部分３０ａの上面３０ｕが、絶縁部４０ｂの上面４０ｕよりも下に位置する。これにより、本実施形態に係る有機電界発光素子１１０では、第２電極２０の形成の際に、マスクが有機発光層３０に接触したとしても、発光領域ＥＡとならない第２部分３０ｂ及び絶縁部４０ｂに接触する。すなわち、絶縁層４０が、第２電極２０の形成に際して、マスクの接触防止層として機能する。
【００２８】
これにより、有機電界発光素子１１０では、例えば、マスクなどが、有機発光層３０の発光領域ＥＡとなる第１部分３０ａに接触することを抑制できる。有機電界発光素子１１０では、例えば、第２電極２０の形成の際などに、有機発光層３０の発光領域ＥＡとなる第１部分３０ａに傷が付いてしまうことを抑制できる。有機電界発光素子１１０では、例えば、歩留まりを向上できる。有機電界発光素子１１０では、例えば、高い信頼性を得られる。例えば、幅の狭い導電部２０ａを精度よく形成できる。
【００２９】
図３は、第１の実施形態に係る有機電界発光素子の一部を表す模式的断面図である。  
図３に表したように、有機発光層３０は、第１層３１を含む。有機発光層３０は、必要に応じて、第２層３２及び第３層３３の少なくともいずれかをさらに含むことができる。第１層３１は、可視光の波長を含む光を放出する。第２層３２は、第１層３１と第１電極１０との間に設けられる。第３層３３は、第１層３１と第２電極２０との間に設けられる。
【００３０】
第１層３１には、例えば、Ａｌｑ３（トリス(８−ヒドロキシキノリノラト)アルミニウム）、Ｆ８ＢＴ（ポリ(9,9-ジオクチルフルオレン-ｃｏ-ベンゾチアジアゾール）及びＰＰＶ（ポリパラフェニレンビニレン）などの材料を用いることができる。第１層３１には、ホスト材料と、ホスト材料に添加されるドーパントと、の混合材料を用いることができる。ホスト材料としては、例えばＣＢＰ（4,4'−N,N'-ビスジカルバゾリルール−ビフェニル）、ＢＣＰ（2,9−ジメチル-4,7 ジフェニル−1,10−フェナントロリン）、ＴＰＤ（4,4'−ビス−N−3メチルフェニル−N−フェニルアミノビフェニル）、ＰＶＫ（ポリビニルカルバゾール）及びＰＰＴ（ポリ（３−フェニルチオフェン））などを用いることができる。ドーパント材料としては、例えば、Ｆｌｒｐｉｃ（イリジウム(III)ビス(4,6-ジ-フルオロフェニル)-ピリジネート-N,C2'-ピコリネート）、Ｉｒ（ｐｐｙ）３（トリス (２−フェニルピリジン)イリジウム）及びＦｌｒ６（ビス（２，４−ジフルオロフェニルピリジナト）−テトラキス（１−ピラゾリル）ボラート−イリジウム（ＩＩＩ））などを用いることができる。なお、第１層３１は、これらの材料に限定されない。
【００３１】
第２層３２は、例えば、正孔注入層として機能する。正孔注入層は、例えば、ＰＥＤＰＯＴ：ＰＰＳ（ポリ(3,4- エチレンジオキシチオフェン)-ポリ(スチレンスルホン酸)）、ＣｕＰｃ(銅フタロシアニン)、及び、ＭｏＯ３（三酸化モリブデン）などの少なくともいずれかを含む。第２層３２は、例えば正孔輸送層として機能する。正孔輸送層は、例えば、α−ＮＰＤ（4，4'−ビス［N−（1−ナフチル）−N−フェニルアミノ］ビフェニル）、ＴＡＰＣ（1,1-ビス[4-[N,N-ジ(p-トリル)アミノ]フェニル]シクロヘキサン）、ｍ−ＭＴＤＡＴＡ（4,4',4''-トリス[フェニル(m-トリル)アミノ]トリフェニルアミン）、ＴＰＤ（ビス(3-メチルフェニル)-N,N'-ジフェニルベンジジン）、及び、ＴＣＴＡ（4，4'，4”−トリ（N− カルバゾリル）トリフェニルアミン）などの少なくともいずれかを含む。第２層３２は、例えば、正孔注入層として機能する層と、正孔輸送層として機能する層と、の積層構造を有しても良い。第２層３２は、正孔注入層として機能する層及び正孔輸送層として機能する層とは別の層を含んでも良い。なお、第２層３２は、これらの材料に限定されない。
【００３２】
第３層３３は、例えば電子注入層として機能する層を含むことができる。電子注入層は、例えば、フッ化リチウム、フッ化セシウム、及び、リチウムキノリン錯体などの少なくともいずれかを含む。第３層３３は、例えば、電子輸送層として機能する層を含むことができる。電子輸送層は、例えば、Ａｌｑ３（トリス（8キノリノラト）アルミニウム（III））、ＢＡｌｑ(ビス（２−メチル−８− キノリラト）(ｐ−フェニルフェノラート)アルミニウム)、Ｂｐｈｅｎ（バソフェナントロリン）、及び、３ＴＰＹＭＢ（トリス[３−(３−ピリジル)−メシチル]ボラン）などの少なくともいずれかを含む。第３層３３は、例えば、電子注入層として機能する層と、電子輸送層として機能する層と、の積層構造を有しても良い。第３層３３は、電子注入層として機能する層及び電子輸送層として機能する層とは別の層を含んでも良い。なお、第３層３３は、これらの材料に限定されない。
【００３３】
例えば、有機発光層３０から放出される光は、実質的に白色光である。すなわち、有機電界発光素子１１０から出射する光は白色光である。ここで、「白色光」は、実質的に白色であり、例えば、赤色系、黄色系、緑色系、青色系及び紫色系などの白色の光も含む。
【００３４】
第１電極１０は、例えば、Ｉｎ、Ｓｎ、Ｚｎ及びＴｉよりなる群から選択された少なくともいずれかの元素を含む酸化物を含む。第１電極１０には、例えば、酸化インジウム、酸化亜鉛、酸化錫、インジウム錫酸化物（ＩＴＯ：Indium Tin Oxide）膜、フッ素ドープ酸化錫（ＦＴＯ）、インジウム亜鉛酸化物を含む導電性ガラスを用いて作製された膜（例えばＮＥＳＡなど）、金、白金、銀、及び、銅などを用いることができる。第１電極１０は、例えば、陽極として機能する。なお、第１電極１０は、これらの材料に限定されない。
【００３５】
第２電極２０は、例えば、アルミニウム及び銀の少なくともいずれかを含む。例えば、第２電極２０には、アルミニウム膜が用いられる。さらに、第２電極２０として、銀とマグネシウムとの合金を用いても良い。この合金にカルシウムを添加しても良い。第２電極２０は、例えば、陰極として機能する。なお、第２電極２０は、これらの材料に限定されない。
【００３６】
なお、第１電極１０を陰極とし、第２電極２０を陽極とし、第２層３２を電子注入層または電子輸送層として機能させ、第３層３３を正孔注入層または正孔輸送層として機能させてもよい。
【００３７】
絶縁層４０には絶縁性の材料を用いることができ、例えば、ポリイミド樹脂、アクリル樹脂などの樹脂材料や、シリコン酸化膜（例えばＳｉＯ２）、シリコン窒化膜（例えばＳｉＮ）、または、シリコン酸窒化膜などの無機材料などが用いられる。なお、絶縁層４０は、これらの材料に限定されない。
【００３８】
第１電極１０の厚さ（Ｚ軸方向の長さ）は、例えば、１０ｎｍ以上５００ｎｍ以下である。より好ましくは５０ｎｍ以上２００ｎｍ以下である。絶縁部４０ｂの厚さは、例えば、５０μｍ以上１００μｍ以下である。有機発光層３０の厚さは、例えば、５０ｎｍ以上５００ｎｍ以下である。第２電極２０（導電部２０ａ）の厚さは、例えば、１０ｎｍ以上３００ｎｍ以下である。導電部２０ａの幅Ｗ１（Ｘ軸方向の長さ）は、例えば、１μｍ以上５００μｍ以下である。複数の導電部２０ａのピッチＰｔ１は、例えば、２μｍ以上２０００μｍ以下である。より好ましくは、２μｍ以上２００μｍ以下である。ピッチＰｔ１は、例えば、隣り合う２つの導電部２０ａのＸ軸方向の中心間のＸ軸方向の距離である。絶縁部４０ｂの幅Ｗ２は、例えば、１μｍ以上１５００μｍ以下である。絶縁部４０ｂのピッチＰｔ２は、例えば、２μｍ以上２０００μｍ以下である。
【００３９】
図４（ａ）〜図４（ｃ）は、第１の実施形態に係る別の有機電界発光素子を表す模式図である。  
図４（ａ）は、有機電界発光素子１１１の模式的平面図である。図４（ｂ）及び図４（ｃ）は、有機電界発光素子１１１の模式的断面図である。図４（ｂ）は、図４（ａ）のＢ１−Ｂ２線断面であり、図４（ｃ）は、図４（ａ）のＣ１−Ｃ２線断面である。  
図４（ａ）〜図４（ｃ）に表したように、有機電界発光素子１１１では、第２電極２０が、格子状の１つの導電部２０ａを有する。
【００４０】
有機電界発光素子１１１の第２電極２０において、複数の開口部２０ｂのそれぞれは、Ｘ軸方向に並ぶとともに、Ｙ軸方向に並ぶ。すなわち、複数の開口部２０ｂのそれぞれは、Ｘ軸方向及びＹ軸方向に二次元マトリクス状に並べられる。複数の開口部２０ｂのそれぞれのＸ−Ｙ平面に投影した形状は、例えば、矩形状である。これにより、導電部２０ａは、Ｘ−Ｙ平面に投影したときに、格子状となる。この例において、第２電極２０のパターン形状は、格子状である。このように、第２電極２０のパターン形状は、ストライプ状に限ることなく、格子状でもよい。
【００４１】
導電部２０ａは、例えば、複数の第１延在部２１と、複数の第２延在部２２と、を含む。複数の第１延在部２１のそれぞれは、Ｙ軸方向に延び、Ｘ軸方向に並ぶ。複数の第２延在部２２のそれぞれは、Ｘ軸方向に延び、Ｙ軸方向に並ぶ。複数の第２延在部２２のそれぞれは、複数の第１延在部２１のそれぞれと交差する。複数の第１延在部２１のそれぞれは、例えば、Ｘ−Ｙ平面に投影したときに、複数の第１部分３０ａのそれぞれと重なる位置に配置される。これにより、例えば、ストライプ状の第２電極２０に比べて、第１延在部２１及び第２延在部２２を細くしつつ、発光領域ＥＡの面積を大きくできる。
【００４２】
第１延在部２１の幅ＷＥ１（Ｘ軸方向の長さ）は、例えば、１μｍ以上５００μｍ以下である。複数の第１延在部２１のそれぞれのピッチＰＥ１は、例えば、２μｍ以上２０００μｍ以下である。ピッチＰＥ１は、例えば、隣り合う２つの第１延在部２１のＸ軸方向の中心間のＸ軸方向の距離である。第２延在部２２の幅ＷＥ２（Ｙ軸方向の長さ）は、例えば、１μｍ以上５００μｍ以下である。複数の第２延在部２２のそれぞれのピッチＰＥ２は、例えば、２μｍ以上２０００μｍ以下である。ピッチＰＥ２は、例えば、隣り合う２つの第２延在部２２のＹ軸方向の中心間のＹ軸方向の距離である。
【００４３】
この例では、開口部２０ｂのＸ−Ｙ平面に投影した形状が、矩形状である。開口部２０ｂの形状は、矩形状に限ることなく、例えば、円形、楕円形または他の多角形状でもよい。開口部２０ｂの形状は、任意の形状でよい。本願明細書において、「格子状」には、開口部が矩形状であるものの他、開口部が任意の形状であるものも含む。例えば、ハニカム状の形状なども、「格子状」に含むものとする。すなわち、第２電極２０のパターン形状は、ハニカム状などでもよい。
【００４４】
図５（ａ）〜図５（ｃ）は、第１の実施形態に係る別の有機電界発光素子を表す模式図である。  
図５（ａ）は、有機電界発光素子１１２の模式的平面図である。図５（ｂ）及び図５（ｃ）は、有機電界発光素子１１２の模式的断面図である。図５（ｂ）は、図５（ａ）のＤ１−Ｄ２線断面であり、図５（ｃ）は、図５（ａ）のＥ１−Ｅ２線断面である。  
図５（ａ）〜図５（ｃ）に表したように、有機電界発光素子１１２では、絶縁層４０が、Ｘ軸方向及びＹ軸方向に並べられた複数の開口部４０ａを有する。すなわち、有機電界発光素子１１２では、複数の開口部４０ａが、Ｘ軸方向及びＹ軸方向に二次元マトリクス状に並べられる。この例において、開口部４０ａのＸ−Ｙ平面に投影した形状は、円形である。
【００４５】
有機電界発光素子１１２において、絶縁部４０ｂは、Ｘ−Ｙ平面に投影したときに、格子状である。有機発光層３０は、複数の露呈部１０ｐのそれぞれの上に設けられた複数の第１部分３０ａと、絶縁部４０ｂの上に設けられた格子状の第２部分３０ｂと、を有する。複数の導電部２０ａのそれぞれは、例えば、Ｘ−Ｙ平面に投影したときに、複数の第１部分３０ａのうちのＹ軸方向に並ぶ一群Ｇｒ１の第１部分３０ａのそれぞれと重なる位置に配置される。複数の導電部２０ａのそれぞれは、例えば、Ｘ−Ｙ平面に投影したときに、複数の開口部４０ａのうちのＹ軸方向に並ぶ一群の開口部４０ａのそれぞれと重なる位置に配置される。図５に示すように、開口部４０ａのＸ軸方向の幅は、導電部２０ａの幅よりも大きくすることができる。
【００４６】
有機電界発光素子１１２においても、マスクなどが第１部分３０ａに接触することを抑制し、高い信頼性を得ることができる。
【００４７】
図６は、第１の実施形態に係る別の有機電界発光素子を表す模式的平面図である。  
図６に表したように、有機電界発光素子１１３では、開口部４０ａのＸ−Ｙ平面に投影した形状が、矩形状である。開口部４０ａのＸ−Ｙ平面に投影した形状は、円形、楕円形または多角形の任意の形状でよい。図６に示すように、開口部４０ａのＸ軸方向の幅は、導電部２０ａの幅よりも大きくすることができる。
【００４８】
有機電界発光素子１１２及び有機電界発光素子１１３において、第２電極２０のパターン形状は、ストライプ状である。絶縁部４０ｂを格子状にした場合において、第２電極２０のパターン形状は、格子状でもよい。
【００４９】
図７は、第１の実施形態に係る別の有機電界発光素子を表す模式的断面図である。  
図７に表したように、有機電界発光素子１１４では、複数の導電部２０ａのそれぞれが、Ｙ軸方向に延び、Ｘ軸方向に並ぶ。有機電界発光素子１１４では、Ｘ−Ｙ平面に投影したときに、複数の導電部２０ａのそれぞれが、絶縁層４０の複数の開口部４０ａのいずれかと重なる。そして、有機電界発光素子１１４では、Ｘ−Ｙ平面に投影したときに、少なくとも１つの開口部４０ａが、複数の導電部２０ａのそれぞれの間に配置される。この例では、Ｘ−Ｙ平面に投影したときに、１つの開口部４０ａが、複数の導電部２０ａのそれぞれの間に配置される。Ｘ−Ｙ平面に投影したときに、複数の導電部２０ａのそれぞれの間に配置される開口部４０ａの数は、２つ以上でもよい。
【００５０】
例えば、有機電界発光素子１１０では、外光ＯＬが、絶縁部４０ｂを透過する。これに対して、本実施形態に係る有機電界発光素子１１４では、外光ＯＬが、開口部４０ａの部分も透過する。これにより、本実施形態に係る有機電界発光素子１１４では、有機電界発光素子１１０よりも光の透過性を高めることができる。例えば、有機電界発光素子１１０よりも透明性を高めることができる。例えば、有機電界発光素子１１０よりも透過像の視認性を高めることができる。
【００５１】
図８（ａ）〜図８（ｃ）は、第１の実施形態に係る別の有機電界発光素子を表す模式図である。  
図８（ａ）は、有機電界発光素子１１５の模式的平面図である。図８（ｂ）及び図８（ｃ）は、有機電界発光素子１１５の模式的断面図である。図８（ｂ）は、図８（ａ）のＦ１−Ｆ２線断面であり、図８（ｃ）は、図８（ａ）のＧ１−Ｇ２線断面である。  
図８（ａ）〜図８（ｃ）に表したように、有機電界発光素子１１５では、第２電極２０の複数の導電部２０ａのそれぞれが、Ｘ軸方向に延び、Ｙ軸方向に並ぶ。複数の開口部２０ｂのそれぞれは、複数の導電部２０ａのそれぞれの間に配置される。
【００５２】
複数の導電部２０ａのそれぞれは、Ｘ−Ｙ平面に投影したときに、有機発光層３０のＹ軸方向に延びる複数の第１部分３０ａのそれぞれと交差する。複数の導電部２０ａのそれぞれは、Ｘ−Ｙ平面に投影したときに、絶縁層４０のＹ軸方向に延びる複数の開口部４０ａのそれぞれと交差する。
【００５３】
有機電界発光素子１１５において、導電部２０ａの幅Ｗ２（Ｙ軸方向の長さ）は、例えば、１μｍ以上５００μｍ以下である。複数の導電部２０ａのピッチＰｔ２は、例えば、２μｍ以上２０００μｍ以下である。ピッチＰｔ２は、例えば、隣り合う２つの導電部２０ａのＹ軸方向の中心間のＹ軸方向の距離である。絶縁部４０ｂの幅Ｗ２は、例えば、１μｍ以上１５００μｍ以下である。絶縁部４０ｂのピッチＰｔ２は、例えば、２μｍ以上２０００μｍ以下である。
【００５４】
有機電界発光素子１１５においても、マスクなどが第１部分３０ａに接触することを抑制し、高い信頼性を得ることができる。導電部２０ａの幅及びピッチが同じである場合、有機電界発光素子１１５では、例えば、有機電界発光素子１１０や有機電界発光素子１１４よりも透過像の視認性の低下を抑制できる。
【００５５】
前述のように、光透過性の有機電界発光素子では、第２電極２０を見え難くするために、導電部２０ａの幅を狭くすることが求められている。導電部２０ａの幅を狭くすると、発光領域ＥＡの面積が縮小される。このため、例えば、第２電極２０をストライプ状のパターン形状とした場合に、第２電極２０を見え難くしつつ、適切な発光輝度を得るためには、導電部２０ａの幅を狭くしつつ、複数の導電部２０ａのピッチを狭くする必要がある。しかしながら、ピッチを狭くすると、透過像の視認性が低下してしまう。例えば、透過像が、ぼやけてしまう。これは、例えば、光の回折に起因しているものと考えられる。
【００５６】
本願発明者らは、第２電極２０の形状及び絶縁層４０の形状と、透過像の視認性と、の関連性について検討を行った。その結果、本願発明者らは、導電部２０ａの幅及びピッチが同じである場合、有機電界発光素子１１５の構成において、有機電界発光素子１１４の構成よりも透過像の視認性の低下を抑制できることを見出した。各絶縁部４０ｂを各導電部２０ａに対して交差させる。これにより、各絶縁部４０ｂを各導電部２０ａに対して平行なストライプ状とし、各導電部２０ａの間に少なくとも１つの開口部４０ａを配置する構成よりも、透過像の視認性の低下を抑制できることを見出した。例えば、有機電界発光素子１１４よりも透過像のぼけを抑制できることを見出した。これは、本願発明者らの実験によって導き出された新たな効果である。
【００５７】
また、有機電界発光素子１１５では、光の透過する部分に延在する絶縁部４０ｂの面積が、例えば、有機電界発光素子１１０、１１２、１１３に比べて小さい。これにより、有機電界発光素子１１５では、有機電界発光素子１１０、１１２、１１３よりも光の透過性を高めることができる。例えば、有機電界発光素子１１０、１１２、１１３よりも透明性を高めることができる。このように、本実施形態に係る有機電界発光素子１１５では、透過像のボケを抑制できる。さらには、光透過性の低下を抑制することもできる。従って、透過像の視認性の低下を抑えることができる。透過像の高い視認性を得ることができる。
【００５８】
有機電界発光素子１１０において、導電部２０ａの一部が、絶縁部４０ｂの上に重なってしまう場合がある（図１参照）。有機電界発光素子１１０において、導電部２０ａと絶縁部４０ｂとが重なった部分は、光の発光にも光の透過にも寄与しない。有機電界発光素子１１５では、こうした非発光部分や非透過部分の発生を抑えることもできる。
【００５９】
この例において、導電部２０ａの延在する方向は、開口部４０ａの延在する方向に対して実質的に垂直である。導電部２０ａの延在する方向は、必ずしも開口部４０ａの延在する方向に対して垂直でなくてもよい。導電部２０ａの延在する方向は、例えば、開口部４０ａの延在する方向に対して垂直な方向に延びる成分を有していればよい。すなわち、導電部２０ａの延在する方向は、開口部４０ａの延在する方向に対して交差する方向であればよい。但し、この例で表したように、導電部２０ａの延在する方向を、開口部４０ａの延在する方向に対して実質的に直交させることにより、例えば、有機電界発光素子の製造工程の複雑化を抑制できる。例えば、透過像の視認性の低下を適切に抑制できる。
【００６０】
図９（ａ）〜図９（ｃ）は、第１の実施形態に係る別の有機電界発光素子を表す模式図である。  
図９（ａ）は、有機電界発光素子１１５の模式的平面図である。図９（ｂ）及び図９（ｃ）は、有機電界発光素子１１６の模式的断面図である。図９（ｂ）は、図９（ａ）のＨ１−Ｈ２線断面であり、図９（ｃ）は、図９（ａ）のＩ１−Ｉ２線断面である。  
図９（ａ）〜図９（ｃ）に表したように、有機電界発光素子１１６では、絶縁層４０が、格子状の１つの開口部４０ａを有する。有機電界発光素子１１６において、絶縁層４０の開口部４０ａは、Ｘ−Ｙ平面に投影したときに、格子状である。絶縁層４０は、複数の絶縁部４０ｂを有する。この例において、複数の絶縁部４０ｂのそれぞれは、Ｘ軸方向及びＹ軸方向に並べられる。すなわち、複数の絶縁部４０ｂのそれぞれは、Ｘ軸方向及びＹ軸方向に二次元マトリクス状に並べられる。この例において、絶縁部４０ｂのＸ−Ｙ平面に投影した形状は、円形である。
【００６１】
有機電界発光素子１１６において、開口部４０ａは、Ｘ−Ｙ平面に投影したときに、格子状である。有機発光層３０は、１つの露呈部１０ｐの上に設けられた１つの第１部分３０ａと、複数の絶縁部４０ｂのそれぞれの上に設けられた複数の第２部分３０ｂと、を有する。この例では、露呈部１０ｐ及び第１部分３０ａも、格子状である。
【００６２】
複数の導電部２０ａのそれぞれは、例えば、Ｘ−Ｙ平面に投影したときに、複数の第２部分３０ｂのうちのＹ軸方向に並ぶ一群Ｇｒ２の第２部分３０ｂのそれぞれと重なる位置に配置される。複数の導電部２０ａのそれぞれは、例えば、Ｘ−Ｙ平面に投影したときに、複数の絶縁部４０ｂのうちのＹ軸方向に並ぶ一群の絶縁部４０ｂのそれぞれと重なる位置に配置される。図９（ａ）に示すように、絶縁部４０ｂのＸ軸方向の幅は、導電部２０ａの幅よりも大きくすることができる。
【００６３】
有機電界発光素子１１６においても、マスクなどが第１部分３０ａに接触することを抑制し、高い信頼性を得ることができる。導電部２０ａの幅及びピッチが同じである場合、有機電界発光素子１１６では、有機電界発光素子１１０よりも透過像の視認性の低下を抑制できる。
【００６４】
有機電界発光素子１１６では、光の透過する部分に延在する絶縁部４０ｂの面積が、有機電界発光素子１１２、１１３に比べて小さい。これにより、有機電界発光素子１１６では、有機電界発光素子１１２、１１３よりも光の透過性を高めることができる。例えば、有機電界発光素子１１２、１１３よりも透明性を高めることができる。有機電界発光素子１１６では、有機電界発光素子１１５と同様に、光の発光にも光の透過にも寄与しない非発光部分や非透過部分の発生を抑えることができる。
【００６５】
図１０は、第１の実施形態に係る別の有機電界発光素子を表す模式的平面図である。  
図１０に表したように、有機電界発光素子１１７では、絶縁部４０ｂのＸ−Ｙ平面に投影した形状が、矩形状である。絶縁部４０ｂのＸ−Ｙ平面に投影した形状は、円形、楕円形または多角形の任意の形状でよい。図１０に示すように、絶縁部４０ｂのＸ軸方向の幅は、導電部２０ａの幅よりも大きくすることができる。
【００６６】
図１１（ａ）〜図１１（ｃ）は、第１の実施形態に係る別の有機電界発光素子を表す模式図である。  
図１１（ａ）は、有機電界発光素子１１８の模式的平面図である。図１１（ｂ）及び図１１（ｃ）は、有機電界発光素子１１８の模式的断面図である。図１１（ｂ）は、図１１（ａ）のＪ１−Ｊ２線断面であり、図１１（ｃ）は、図１１（ａ）のＫ１−Ｋ２線断面である。  
図１１（ａ）〜図１１（ｃ）に表したように、有機電界発光素子１１８では、複数の導電部２０ａのそれぞれが、Ｘ−Ｙ平面に投影したときに、複数の第２部分３０ｂのうちのＹ軸方向に並ぶ一群Ｇｒ２の第２部分３０ｂのそれぞれと重ならない位置に配置される。複数の導電部２０ａのそれぞれの少なくとも一部は、例えば、Ｘ−Ｙ平面に投影したときに、複数の絶縁部４０ｂのうちのＹ軸方向に並ぶ一群の絶縁部４０ｂのそれぞれと重ならない位置に配置される。複数の導電部２０ａのそれぞれは、例えば、Ｘ−Ｙ平面に投影したときに、複数の絶縁部４０ｂのうちのＹ軸方向に並ぶ一群の絶縁部４０ｂのそれぞれの間に配置してもよい。あるいは、複数の導電部２０ａのそれぞれの一部は、複数の絶縁部４０ｂのそれぞれと重なる位置に配置してもよい。
【００６７】
このように、開口部４０ａを格子状とした場合において、導電部２０ａは、絶縁部４０ｂ及び第２部分３０ｂと重ならない位置に配置してもよい。有機電界発光素子１１８では、例えば、有機電界発光素子１１６、１１７に比べて、発光領域ＥＡの面積を大きくすることができる。
【００６８】
図１２（ａ）及び図１２（ｂ）は、第１の実施形態に係る別の有機電界発光素子を表す模式的平面図である。  
図１２（ａ）及び図１２（ｂ）に表したように、有機電界発光素子１１９ａ、１１９ｂでは、第２電極２０のパターン形状が、格子状である。このように、開口部４０ａを格子状とした場合において、第２電極２０は、格子状でもよい。
【００６９】
有機電界発光素子１１９ａでは、導電部２０ａが、Ｘ−Ｙ平面に投影したときに、複数の第２部分３０ｂのそれぞれ及び複数の絶縁部４０ｂのそれぞれと重なる位置に配置される。
【００７０】
一方、有機電界発光素子１１９ｂでは、導電部２０ａが、Ｘ−Ｙ平面に投影したときに、複数の第２部分３０ｂのそれぞれ及び複数の絶縁部４０ｂのそれぞれと重ならない位置に配置される。
【００７１】
このように、格子状の導電部２０ａは、複数の第２部分３０ｂのそれぞれ及び複数の絶縁部４０ｂのそれぞれと重なる位置に配置してもよいし、重ならない位置に配置してもよい。
【００７２】
図１３（ａ）及び図１３（ｂ）は、第１の実施形態に係る別の有機電界発光素子を表す模式図である。  
図１３（ａ）は、有機電界発光素子１２１の模式的断面図であり、図１２（ｂ）は、有機電界発光素子１２１の模式的平面図である。図１２（ａ）は、図１２（ｂ）のＬ１−Ｌ２線断面である。  
図１３（ａ）及び図１３（ｂ）に表したように、有機電界発光素子１２１では、第２電極２０が、有機発光層３０の上に設けられる。例えば、第２電極２０が、有機発光層３０の全体の上に設けられる。この例において、第２電極２０は、光透過性を有する。第２電極２０は、例えば、透明である。
【００７３】
これにより、有機電界発光素子１２１では、第１電極１０と第２電極２０とを介して有機発光層３０に電圧を印加すると、発光領域ＥＡから発せられた発光ＥＬが、第１電極１０を介して有機電界発光素子１２１の外部に出射するとともに、第２電極２０を介して有機電界発光素子１２１の外部に出射する。すなわち、有機電界発光素子１２１は、両面発光型である。
【００７４】
有機電界発光素子１２１において、積層体ＳＢは、第１配線層５０をさらに含む。第１配線層５０は、第１電極１０と絶縁層４０との間に設けられる。第１配線層５０は、開口部５０ａと、配線部５０ｂと、を有する。開口部５０ａは、第１電極１０の一部を露呈させる。第１配線層５０は、例えば、複数の開口部５０ａと、複数の配線部５０ｂと、を有する。この例において、複数の開口部５０ａのそれぞれは、Ｙ軸方向に延び、Ｘ軸方向に並ぶ。複数の配線部５０ｂは、複数の開口部５０ａのそれぞれの間に設けられる。すなわち、この例において、第１配線層５０は、ストライプ状のパターン形状である。複数の配線部５０ｂのそれぞれは、例えば、Ｘ−Ｙ平面に投影したときに、複数の絶縁部４０ｂのそれぞれと重なる位置に配置される。複数の配線部５０ｂのそれぞれは、必ずしも複数の絶縁部４０ｂのそれぞれと重ならなくてもよい。
【００７５】
第１配線層５０は、第１電極１０と電気的に接続される。第１配線層５０は、例えば、第１電極１０に接する。第１配線層５０の導電率は、第１電極１０の導電率よりも高い。第１配線層５０は、光反射性を有する。第１配線層５０の光反射率は、第１電極１０の光反射率よりも高い。第１配線層５０は、例えば、金属配線である。第１配線層５０は、例えば、第１電極１０に流れる電流を伝達する補助電極として機能する。これにより、有機電界発光素子１２１では、例えば、第１電極１０の上面１０ａと平行な方向に流れる電流量をより均一にできる。例えば、面内の発光輝度をより均一にできる。
【００７６】
配線部５０ｂの幅Ｗｈ１（Ｘ軸方向の長さ）は、例えば、０．５μｍ以上４００μｍ以下である。この例において、複数の配線部５０ｂのそれぞれのピッチは、複数の絶縁部４０ｂのそれぞれのピッチと実質的に同じである。複数の配線部５０ｂのそれぞれのピッチは、例えば、複数の絶縁部４０ｂのそれぞれのピッチの整数倍としてもよい。すなわち、絶縁部４０ｂに対して１個置きや２個置きなどに配線部５０ｂを設けてもよい。第１配線層５０は、第１電極１０の上面１０ａと反対側の面に設けてもよい。第１配線層５０のパターン形状は、格子状でもよい。なお、絶縁層４０が格子状の場合においても、第１配線層５０をストライプ状や格子状に形成することができる。第１配線層５０は、絶縁層４０に覆われるように配置することができる。
【００７７】
有機電界発光素子１２１においても、マスクなどが第１部分３０ａに接触することを抑制し、高い信頼性を得ることができる。
【００７８】
光透過性の第２電極２０には、例えば、第１電極１０に関して説明した材料を用いることができる。また、光透過性の第２電極２０は、例えば、ＭｇＡｇなどの金属材料でもよい。金属材料において、第２電極２０の厚さを５ｎｍ以上２０ｎｍ以下とする。これにより、適切な光透過性を得ることができる。
【００７９】
第１配線層５０は、例えば、Ｍｏ、Ｔａ、Ｎｂ、Ａｌ、Ｎｉ及びＴｉよりなる群から選択された、少なくともいずれかの元素を含む。第１配線層５０は、例えば、この群から選択された元素を含む混合膜とすることができる。第１配線層５０は、それらの元素を含む積層膜とすることができる。第１配線層５０には、例えばＮｂ／Ｍｏ／Ａｌ／Ｍｏ／Ｎｂの積層膜を用いることができる。第１配線層５０は、例えば、第１電極１０の電位降下を抑制する補助電極として機能する。第１配線層５０は、電流供給のためのリード電極として機能することができる。なお、第１配線層５０は、これらの材料に限定されない。
【００８０】
図１４（ａ）及び図１４（ｂ）は、第１の実施形態に係る別の有機電界発光素子を表す模式図である。  
図１４（ａ）は、有機電界発光素子１２１の模式的断面図であり、図１４（ｂ）は、有機電界発光素子１２１の模式的平面図である。図１４（ａ）は、図１４（ｂ）のＬ１−Ｌ２線断面である。  
図１４（ａ）及び図１４（ｂ）に表したように、有機電界発光素子１２２では、積層体ＳＢが、第２配線層６０をさらに含む。第２配線層６０は、第２電極２０の上に設けられる。第２配線層６０は、開口部６０ａと、配線部６０ｂと、を有する。開口部６０ａは、第２電極２０の一部を露呈させる。第２配線層６０は、例えば、複数の開口部６０ａと、複数の配線部６０ｂと、を有する。この例において、複数の開口部６０ａのそれぞれは、Ｙ軸方向に延び、Ｘ軸方向に並ぶ。複数の配線部６０ｂは、複数の開口部６０ａのそれぞれの間に設けられる。すなわち、この例において、第２配線層６０は、ストライプ状のパターン形状である。この例において、複数の配線部６０ｂのそれぞれは、Ｘ−Ｙ平面に投影したときに、複数の絶縁部４０ｂのそれぞれと重ならない位置に配置される。複数の配線部６０ｂのそれぞれは、例えば、Ｘ−Ｙ平面に投影したときに、複数の絶縁部４０ｂのそれぞれと重なる位置に配置してもよい。
【００８１】
第２配線層６０は、第２電極２０と電気的に接続される。第２配線層６０は、例えば、第２電極２０に接する。第２配線層６０の導電率は、第２電極２０の導電率よりも高い。第２配線層６０は、光反射性を有する。第２配線層６０の光反射率は、第２電極２０の光反射率よりも高い。第２配線層６０は、例えば、金属配線である。第２配線層６０は、例えば、第２電極２０に流れる電流を伝達する補助電極として機能する。これにより、有機電界発光素子１２２では、例えば、第２電極２０のＸ−Ｙ平面方向に流れる電流量をより均一にできる。例えば、面内の発光輝度をより均一にできる。
【００８２】
配線部６０ｂの幅Ｗｈ２（Ｘ軸方向の長さ）は、例えば、０．５μｍ以上４００μｍ以下である。この例において、複数の配線部６０ｂのそれぞれは、Ｘ−Ｙ平面に投影したときに、複数の第１部分３０ａのそれぞれと重なる位置に配置されている。配線部６０ｂは、例えば、第１部分３０ａに対して１個置きや２個置きなどに設けてもよい。
【００８３】
第２配線層６０は、例えば、第２電極２０と有機発光層３０との間に設けてもよい。第２配線層６０のパターン形状は、格子状でもよい。第２配線層６０には、例えば、第１配線層５０に関して説明した材料を用いることができる。
【００８４】
有機電界発光素子１２２においても、マスクなどが第１部分３０ａに接触することを抑制し、高い信頼性を得ることができる。なお、絶縁層４０が格子状の場合においても、第２配線層６０をストライプ状や格子状に形成することができる。複数の第２配線層６０のそれぞれは、Ｘ−Ｙ平面に投影したときに、複数の４０ａのそれぞれと重ならない位置に配置される。なお、複数の第２配線部６０ａのそれぞれは、例えば、複数の絶縁部４０ａのそれぞれと重なる位置に配置してもよい。
【００８５】
図１５は、第１の実施形態に係る別の有機電界発光素子を表す模式的断面図である。  
図１５に表しように、有機電界発光素子１３０は、第１基板８１と、第２基板８２と、シール部８５と、をさらに含む。  
第１電極１０は、第１基板８１の上に設けられる。積層体ＳＢは、第１基板８１の上に設けられる。第１基板８１は、光透過性を有する。第２基板８２は、積層体ＳＢの上に設けられ、第１基板８１と対向する。第２基板８２は、光透過性を有する。この例において、積層体ＳＢの構成は、有機電界発光素子１１０に関して説明した構成と同じである。積層体ＳＢの構成は、有機電界発光素子１１１〜１１８、１１９ａ、１１９ｂ、１２１、１２２に関して説明した構成でもよい。
【００８６】
シール部８５は、例えば、第１基板８１及び第２基板８２の外縁に沿って環状に設けられ、第１基板８１と第２基板８２とを接着する。これにより、第１基板８１と第２基板８２とによって、積層体ＳＢが封止される。有機電界発光素子１３０では、第１基板８１と第２基板８２との間のＺ軸方向の距離をシール部８５によって規定している。この構成は、例えば、シール部８５に粒状のスペーサ（図示は省略）を含めることによって実現できる。例えば、シール部８５に粒状の複数のスペーサを分散させ、複数のスペーサの径によって、第１基板８１と第２基板８２との間の距離が規定される。
【００８７】
有機電界発光素子１３０において、シール部８５の厚さ（Ｚ軸方向に沿う長さ）は、例えば、１μｍ以上１００μｍ以下である。より好ましくは、例えば、５μｍ以上２０μｍ以下である。これにより、例えば、水分の浸入などを抑えることができる。シール部８５の厚さは、例えば、シール部８５に分散させるスペーサの径と実質的に同じである。
【００８８】
有機電界発光素子において、第２基板８２に積層体ＳＢを収容する凹部を設ける構成がある。この構成では、第２基板８２の形成が難しくなる。例えば、有機電界発光素子のコストアップを招く。
【００８９】
これに対して、本実施形態に係る有機電界発光素子１３０では、第１基板８１と第２基板８２との間の距離をシール部８５で規定している。これにより、例えば、平板状の第２基板８２を用いることができる。例えば、第２基板８２の形成を容易にできる。有機電界発光素子１３０のコストアップを抑えることができる。
【００９０】
積層体ＳＢと第２基板８２との間の空間には、例えば、不活性ガスなどが充填される。積層体ＳＢと第２基板８２との間に、乾燥剤などを設けてもよい。積層体ＳＢと第２基板８２との間の空間は、例えば、空気層でもよい。積層体ＳＢと第２基板８２との間の空間には、例えば、液状のアクリル系樹脂やエポキシ係樹脂などを充填してもよい。アクリル系樹脂やエポキシ樹脂には乾燥剤として酸化カルシウムや酸化バリウムなどを添加してもよい。
【００９１】
第１基板８１及び第２基板８２には、例えば、ガラス基板、または、樹脂基板などが用いられる。シール部８５には、例えば、紫外線硬化樹脂などが用いられる。
【００９２】
（第２の実施形態）  
図１６は、第２の実施形態に係る照明装置を表す模式図である。  
図１６に表したように、本実施形態に係る照明装置２１０は、第１の実施形態に係る有機電界発光素子（例えば有機電界発光素子１３０）と、電源部２０１と、を備える。
【００９３】
電源部２０１は、第１電極１０と第２電極２０とに電気的に接続される。電源部２０１は、第１電極１０及び第２電極２０を介して有機発光層３０に電流を供給する。  
本実施形態に係る照明装置２１０によれば、信頼性の高い照明装置を提供できる。
【００９４】
（第３の実施形態）  
図１７（ａ）及び図１７（ｂ）は、第３の実施形態に係る照明システムを表す模式図である。  
図１７（ａ）に表したように、本実施形態に係る照明システム３１１は、第１の実施形態に係る複数の有機電界発光素子（例えば有機電界発光素子１３０）と、制御部３０１と、を備える。
【００９５】
制御部３０１は、複数の有機電界発光素子１３０のそれぞれと電気的に接続され、複数の有機電界発光素子１３０のそれぞれの点灯・消灯を制御する。制御部３０１は、例えば、複数の有機電界発光素子１３０のそれぞれの第１電極１０及び第２電極２０と電気的に接続される。これにより、制御部３０１は、複数の有機電界発光素子１３０のそれぞれの点灯・消灯を個別に制御する。
【００９６】
図１７（ｂ）に表したように、照明システム３１２では、複数の有機電界発光素子１３０のそれぞれが、直列に接続されている。制御部３０１は、複数の有機電界発光素子１３０のうちの１つの有機電界発光素子１３０の第１電極１０と電気的に接続される。そして、制御部３０１は、複数の有機電界発光素子１３０のうちの別の１つの有機電界発光素子１３０の第２電極２０と電気的に接続される。これにより、制御部３０１は、複数の有機電界発光素子１３０のそれぞれの点灯・消灯をまとめて制御する。このように、制御部３０１は、複数の有機電界発光素子１３０のそれぞれの点灯・消灯を個別に制御してもよいし、まとめて制御してもよい。  
本実施形態に係る照明システム３１１、３１２によれば、信頼性の高い照明システムを提供できる。
【００９７】
実施形態によれば、信頼性の高い有機電界発光素子、照明装置及び照明システムが提供される。
【００９８】
なお、本願明細書において、「垂直」及び「平行」は、厳密な垂直及び厳密な平行だけではなく、例えば製造工程におけるばらつきなどを含むものであり、実質的に垂直及び実質的に平行であれは良い。
【００９９】
以上、具体例を参照しつつ、本発明の実施の形態について説明した。しかし、本発明の実施形態は、これらの具体例に限定されるものではない。例えば、有機電界発光素子に含まれる、第１電極、第２電極、有機発光層、絶縁層、第１配線層、第２配線層、並びに、照明装置に含まれる電源部、照明システムに含まれる制御部などの各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【０１００】
その他、本発明の実施の形態として上述した有機電界発光素子、照明装置及び照明システムを基にして、当業者が適宜設計変更して実施し得る全ての有機電界発光素子、照明装置及び照明システムも、本発明の要旨を包含する限り、本発明の範囲に属する。
【０１０１】
その他、本発明の思想の範疇において、当業者であれば、各種の変更例及び修正例に想到し得るものであり、それら変更例及び修正例についても本発明の範囲に属するものと了解される。
【０１０２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０３】
１０…第１電極、  １０ａ…上面、  ２０…第２電極、  ２０ａ…導電部、  ２０ｂ…開口部（第２開口部）、  ３０…有機発光層、  ３０ａ…第１部分、  ３０ｂ…第２部分、  ４０…絶縁層、  ４０ａ…開口部（第１開口部）、  ４０ｂ…絶縁部、  ５０…第１配線層、  ５０ａ…開口部、  ５０ｂ…配線部、  ６０…第２配線層、  ６０ａ…開口部、  ６０ｂ…配線部、  ８１…第１基板、  ８２…第２基板、  ８５…シール部、  １１０〜１１８、１１９ａ、１１９ｂ、１２１、１２２、１３０…有機電界発光素子、  ２０１…電源部、  ２１０…照明装置、  ３０１…制御部、  ３１１、３１２…照明システム、  ＳＢ…積層体
【図１】
2014154211.tif 000003
【図２】
2014154211.tif 000004
【図３】
2014154211.tif 000005
【図４】
2014154211.tif 000006
【図５】
2014154211.tif 000007
【図６】
2014154211.tif 000008
【図７】
2014154211.tif 000009
【図８】
2014154211.tif 000010
【図９】
2014154211.tif 000011
【図１０】
2014154211.tif 000012
【図１１】
2014154211.tif 000013
【図１２】
2014154211.tif 000014
【図１３】
2014154211.tif 000015
【図１４】
2014154211.tif 000016
【図１５】
2014154211.tif 000017
【図１６】
2014154211.tif 000018
【図１７】
2014154211.tif 000019